(57)【要約】【課題】  本発明は、立ち座りを補助する用具に係り、特に狭いトイレルームにおいて、トイレルームの寸法や、便器の設置位置に関わらず、体形が小さく、力の弱い者（例えば老人や女性）や、体形が大きく、力のある者（例えば若者や男性）の両者に対して使い勝手のよい好適な手すりを提供することを課題とする。  【解決手段】  手すり部と前記手すり部を壁に固定するための壁固定部材とからなるトイレ用手すりにおいて、前記壁固定部材を取り付ける壁からの距離の延長、若しくは手すりの長さを延長するための継ぎ足し部材を設けた。【選択図】  図６
2005177115.tif 000002
【特許請求の範囲】
【請求項１】
手すり部と前記手すり部を壁に固定するための壁固定部材とからなるトイレ用手すりにおいて、前記壁固定部材を取り付ける壁からの距離の延長、若しくは手すりの長さを延長するための継ぎ足し部材を設けたことを特徴とするトイレ用手すり。
【請求項２】
手すりの上部あるいは下部にカウンターが設けられた請求項１記載のトイレ用手すりにおいて、前記継ぎ足し部材の一端を手すり部に接続し、他端を前記カウンターに密接することを特徴とするトイレ用手すり。
【請求項３】
前記継ぎ足し部材の太さが前記手すり部と異なることを特徴とする請求項１〜２いずれか１つに記載のトイレ用手すり。
【請求項４】
形状の異なる継ぎ足し部材を複数個連結配置することで手すりの長さを延長することを特徴とする請求項１〜３のいずれか１つに記載のトイレ用手すり。
【請求項５】
前記継ぎ足し部材の一端、又は両端には突起を設け、前記手すり部には所定の長さの嵌込固定穴とを設け、前記嵌込固定穴内部に前記継ぎ足し部材の突起をはめ込んで固定することを特徴とする請求項１〜４のいずれか１つに記載のトイレ用手すり。
【発明の詳細な説明】
【技術分野】
【０００１】
本発明は、立ち座りを補助する用具に係り、特にトイレ室内に好適な手すりに関する発明である。 
【背景技術】
【０００２】
従来のトイレ室内用手すりは、立ち座りの補助用に縦一本の直線状の棒が、また、前後移動用あるいは排便行為時の姿勢保持用に直線状の横一本の棒あるいは手すり機能を兼ねたカウンターが設置されている。（例えば、特許文献１参照）。 
このような場合、壁から手すりまでの距離が固定されており、部屋の寸法や便器の位置による手すりの形状が考慮されていないため、広い部屋の場合は便器から手すりまでの距離が遠くなり、使用者が立ち座りを補助するために手すりを利用する場合、使い勝手が悪くなるなどの問題があった。また、手洗器カウンターが併設する際に同一壁面には取付け不可能になるという問題があった。（図１５）
【０００３】
また壁面に階段状に手すりを設置しているものもある（例えば、特許文献２参照。）。
しかし、この場合も設置壁面から手すりまでの距離は同一であり、前述の通り、部屋の寸法や便器の位置および手洗器カウンターを併設する場合に使いづらいものになってしまうといった問題があった。（図１６）
【特許文献１】特開平１０−１２１６９１号公報（第１図）
【特許文献２】特開２００２−２０１７８４号公報（第１２図）
【発明の開示】
【発明が解決しようとする課題】
【０００４】
本発明は、上記問題を解決するためになされたもので、本発明の課題は、トイレルームの寸法や、便器の設置位置など様々な状況において使い勝手のよい手すりを提供するものである。
【課題を解決するための手段】
【０００５】
請求項１に係る発明は、手すり部と前記手すり部を壁に固定するための壁固定部材とからなるトイレ用手すりにおいて、前記壁固定部材を取り付ける壁からの距離の延長、若しくは手すりの長さを延長するための継ぎ足し部材を設けたことを特徴とする。
【０００６】
請求項２に係る発明は、手すりの上部あるいは下部にカウンターが設けられた請求項１記載のトイレ用手すりにおいて、前記継ぎ足し部材の一端を手すり部に接続し、他端を前記カウンターに密接することを特徴とする。
【０００７】
請求項３に係る発明は、前記継ぎ足し部材の太さが前記手すり部と異なることを特徴とする。
【０００８】
請求項４に係る発明は、形状の異なる継ぎ足し部材を複数個連結配置することで手すりの長さを延長することを特徴とする。
【０００９】
請求項５に係る発明は、前記継ぎ足し部材の一端、又は両端には突起を設け、前記手すり部には所定の長さの嵌込固定穴とを設け、前記嵌込固定穴内部に前記継ぎ足し部材の突起をはめ込んで固定することを特徴とする。
【発明の効果】
【００１０】
請求項１記載の発明によれば、継ぎ足し部材を自由に組み合わせ、壁からの設置距離を変動させることができるため、使用者の身体能力に応じて使い勝手のよい場所へ手すりを壁面からオフセットすることが可能となる。また、手すりの長さも自由に変更することができるため、トイレの部屋形状やトイレ内部に設置する手洗器等の障害物にもよらず、使い勝手の良い場所へ手すりをオフセットすることを可能となる。
【００１１】
請求項２記載の発明によれば、継ぎ足し部材をカウンターに密接することによって、手すりの長さを延長することができるだけでなく、カウンターに手すりを密接することで、手すりにかかる荷重をカウンターに分散することができるため、手すりの壁取り付け強度の負担を軽減することができる。
【００１２】
請求項３記載の発明によれば、手すり部と太さの異なる継ぎ足し部材を用いているため、手すりの長さを延長するだけでなく、手の大きさの違う例えば、大人から子供といった様々な使用者に使い勝手のよい手すりを提供することができる。
【００１３】
請求項４記載の発明によれば、形状の異なる継ぎ足し部材を複数個連結配置するため、継ぎ足し部を連結配置した部分は形状が凹凸状となるため、上記請求項３の効果に加え、手すりを持ったときに滑りにくくなるため、より使い勝手が向上する。
【００１４】
請求項５記載の発明によれば、前記継ぎ足し部材の一端、又は両端には突起を設け、前記手すり部には所定の長さの嵌込固定穴とを設け、前記嵌込固定穴内部に前記継ぎ足し部材の突起をはめ込んで固定するため、簡単な構成により手すりを延長できるだけでなく、手すりの継ぎ足し部と手すり部の接合部のずれの発生を確実に防止することができる。
また、いちど設置してからも寸法を変えることができるので身体能力に応じて使い勝手の良い位置に手すりを持ってくることができるという更新性がある。さらには同一パーツを利用した形態となっているので製造側の立場からしても生産性が良く、在庫効率も上がる。
【発明を実施するための最良の形態】
【００１５】
本発明を実施するための最良の形態を添付図に基づいて以下に説明する。
トイレ室内の立ち座りに最適と思われる設置位置は老若男女で違っている。様々な検証結果によるとその最適な位置は体形が小さく、力の弱い者（例えば老人や女性）にとっては便器に対してより近く手前の低い位置がよく（図１）、また、体形が大きく、力のある者（例えば若者や男性）にとっては便器に対して少し離した上方の位置がつかみやすいことが検証されている。（図２）
また、トイレの部屋寸法は実に様々であり、さらには便器の横に手洗器カウンターが併設される場合や部屋内に梁のある場合では、壁面が遠くなりすぎ、使い勝手の良い場所に手すりが設置できない場合がある。（図３および図４および図５）
【実施例】
【００１６】
図８に実施例１を示す。図６、図７のように手すり部１に継ぎ足し部材２を継ぎ足して固定部材３にて壁に固定することにより、壁からの距離が変えられるので便器の横に前出寸法の大きな手洗器カウンター４を設置しても使い勝手の良い位置まで手すりをオフセットすることができる。また、いちど設置してからも寸法を変えることができるので身体能力に応じて使い勝手の良い位置に手すりを持ってくることができるという更新性がある。さらには同一パーツを利用した形態となっているので製造側の立場からしても生産性が良く、在庫効率も上がる。
【００１７】
図９に実施例２を示す。図６の継ぎ足し部材は継ぎ足しの数によってオフセット寸法を変えられるので便器横の障害物（ここでは前出小の手洗器カウンター５）によらず使い勝手の良い手すり設置が可能となる。当然のことながら図１０のように障害物がなく、壁面が近くにある場合においても図６の継ぎ足し部材２の調節によって問題なく設置することができる。
【００１８】
図１１に実施例３を示す。継ぎ足し部材６をカウンター７に密接するまで継ぎ足すことにより、手すりの壁取り付け強度の負担を軽減することができる。また上部に継ぎ足すことで手すりの上下方向の長さを延長することができさらに使い勝手がよい。
【００１９】
図１２に実施例４を示す。継ぎ足し方を変えることにより、上下で壁面からの距離を変更できるので、手前の低い位置が使い勝手のよい体形が小さく、力の弱い者（例えば老人や女性）、および、少し離した上方の位置がつかみやすい体形が大きく、力のある者（例えば若者や男性）の両者にとって使い勝手の良い手すりを簡単に組み立てることができる。
【００２０】
図１３に実施例５を示す。手すり部８と太さの異なる継ぎ足し部材９を用いて手すりを延長しているため、いるため、手の大きさの違う例えば、大人から子供といった様々な使用者に使い勝手のよい手すりを提供することができる。
【００２１】
図１４に実施例６を示す。継ぎ足し部材１０は形状の違う継ぎ足し部材１１、１２との組み合わせにより手すりの太さを全体的あるいは部分的に変化させることができ、継ぎ足し部を連結配置した部分は形状が凹凸状となるため、手すりを持ったときに滑りにくくなる。また使い勝手の良い場所に握り部を構成することができる。
【産業上の利用可能性】
【００２２】
本発明の手すりは、トイレルームに常設もしくは後付けする手すりに好適である。
【図面の簡単な説明】
【００２３】
【図１】トイレ内手すりの使用例を示す説明図１である。
【図２】トイレ内手すりの使用例を示す説明図２である。
【図３】本発明の実施前の例を示す図である。
【図４】本発明の実施前の例を示す図である。
【図５】本発明の実施前の例を示す図である。
【図６】本発明の機構を示す図ある。
【図７】本発明の組立例を示す図ある。
【図８】本発明の実施例１を示す図ある。
【図９】本発明の実施例２を示す図である。
【図１０】本発明の実施例２を示す図である。
【図１１】本発明の実施例３の実施例を示す図ある。
【図１２】本発明の実施例４を示す図ある。
【図１３】本発明の実施例５を示す図ある。
【図１４】本発明の実施例６を示す図ある。
【図１５】本発明の先行事例である特許文献１の図である。
【図１６】本発明の先行事例である特許文献２の図である。
【符号の説明】
【００２４】
１…手すり部
２…継ぎ足し部材
３…固定部材
４…前出寸法の大きな手洗器カウンター
５…前出寸法の小さな手洗器カウンター
６…継ぎ足し部材
７…カウンター
８…手すり部
９…太さの異なる継ぎ足し部材  
１０…継ぎ足し部材
１１…形状の違う継ぎ足し部材
１２…形状の違う継ぎ足し部材
【図１】
2005177115.tif 000003
【図２】
2005177115.tif 000004
【図３】
2005177115.tif 000005
【図４】
2005177115.tif 000006
【図５】
2005177115.tif 000007
【図６】
2005177115.tif 000008
【図７】
2005177115.tif 000009
【図８】
2005177115.tif 000010
【図９】
2005177115.tif 000011
【図１０】
2005177115.tif 000012
【図１１】
2005177115.tif 000013
【図１２】
2005177115.tif 000014
【図１３】
2005177115.tif 000015
【図１４】
2005177115.tif 000016
【図１５】
2005177115.tif 000017
【図１６】
2005177115.tif 000018